(57)【特許請求の範囲】
【請求項１】
ベース部材とこれに開閉可能に取り付けられる開閉部材とを備えて構成される遊技機において、前記ベース部材に対して前記開閉部材を揺動開閉自在にヒンジ接続させる上下一対の蝶番装置であって、
下側の前記蝶番装置が、前記ベース部材の側下部に固定されて水平に突出する下固定側板状部の上面に上方に突出して下支軸を取り付けた下固定部材と、前記開閉部材の側下部に固定されて水平に突出する下揺動側板状部に前記下支軸と嵌合可能な下軸支持孔を形成した下揺動部材とから構成され、前記下支軸を前記下軸支持孔内に嵌入させるようにして前記下揺動部材を前記下固定部材に上側から取り付けて前記下固定部材と前記下揺動部材とをヒンジ接続するように構成されており、
上側の前記蝶番装置が、前記ベース部材の側上部に固定された上固定部材と、前記開閉部材の側上部に固定され、前記上固定部材にヒンジ接続される上揺動部材とから構成され、
前記上固定部材が、前記ベース部材に固定されて水平に突出するとともに半円状のガイド孔側軸支持孔およびこのガイド孔側軸支持孔に繋がって後方に延びた長孔状のガイド孔が形成された平板状の下板部材と、前記下板部材の後部に取り付けられて前記ガイド孔内およびその上部領域内に片持ち状に前方に延びて設けられて前部が左右に弾性変形可能な弾性部材と、前記下板部材の上に重なって取り付けられて前記ガイド孔側軸支持孔および前記ガイド孔の周囲を囲むとともに片側側方が開放されて前記下板部材の上面を上方に露出させた導入部を形成する上板部材とから構成され、
前記上揺動部材が、前記開閉部材に固定されて水平前方に延びた上揺動側板状部と、前記上揺動側板状部の下面に下方に突出して取り付けられた上支軸とを有して構成され、
前記下固定部材と前記下揺動部材とをヒンジ接続させた状態で前記上支軸の下端面が前記導入部における前記下板部材の上面よりも低い位置に位置するように構成されており、
前記下固定部材と前記下揺動部材とをヒンジ接続させた状態で前記開閉部材の上部を前後左右方向に移動させることにより、前記上支軸を、前記導入部における前記下板部材の上面上に載置させるとともに前記導入部を越えて前記ガイド孔内に入り込ませて前記弾性部材の前部を左右方向における前記導入部から遠ざかる方向に押圧して弾性変形させ、さらに、前記弾性部材の前部を前記遠ざかる方向に押圧したまま前記ガイド孔内を前方に移動させ、前記上支軸が前記ガイド孔側軸支持孔内まで移動したときに前記上支軸による前記弾性部材の押圧が開放されて前記弾性部材が元の形状に戻って前記弾性部材の先端により前記上支軸を前記ガイド孔側支持孔内で保持して前記上揺動部材を前記上固定部材にヒンジ接続させるように構成されたことを特徴とする遊技機の蝶番装置。
【請求項２】
前記弾性部材における前記ガイド孔内およびその上部領域内に片持ち状に前方に延びて設けられた部分の前部に前記導入部に近づくように斜め前側方に傾斜した斜面を有する斜辺部が設けられるとともに前端部に前記上軸支持孔と対向する半円凹形状の保持部が形成されており、
前記下固定部材と前記下揺動部材とをヒンジ接続させた状態で前記開閉部材の上部を前後左右方向に移動させることにより、前記上支軸を前記導入部を越えて前記ガイド孔内に入り込ませて前記ガイド孔内を前方に移動させるときに、前記上支軸の下部が前記斜辺部に当接してこれを側方に押して片持ち支持された前記弾性部材の前部を前記導入部から遠ざかる方向に弾性変形させ、前記上支軸が前記ガイド孔側軸支持孔内まで移動したときに前記上支軸の前記弾性部材との当接が外れて前記弾性部材が元の形状に戻り、前記保持部が前記ガイド孔側軸支持孔と対向して前記上支軸を保持するように構成されたことを特徴とする請求項１に記載の遊技機の蝶番装置。
【請求項３】
前記上支軸の上下方向長さより前記下支軸の上下方向長さが長く設定されていることを特徴とする請求項１もしくは２に記載の遊技機の蝶番装置。
【請求項４】
前記導入部における前記下板部材の左右方向に開放された端部上面に面取りが設けられるとともに、前記上支軸の下端に全周にわたる面取りが設けられていることを特徴とする請求項１〜３のいずれかに記載の遊技機の蝶番装置
【請求項５】
前記ガイド孔が基部側に幅広で前方に向かってテーパ状に幅が狭くなる形状に形成されていることを特徴とする請求項１〜４のいずれかに記載の遊技機の蝶番装置。
【請求項６】
前記固定側基部に一体に繋がって前方に突出し、前記開閉部材が前記ベース部材に閉止状態で取り付けられた状態で前記上揺動部材の上側に位置する庇部が設けられていることを特徴とする請求項１〜５のいずれかに記載の遊技機の蝶番装置。
【発明の詳細な説明】
【０００１】
【発明の属する技術分野】
本発明は、ベース部材と開閉部材との間に配設されて、ベース部材と開閉部材とを相対的に揺動開閉自在に接続する蝶番装置に関する。
【０００２】
【従来の技術】
上記のような蝶番装置は遊技機に多用されており、その一例として、パチンコ機における外枠と前枠との間に配設される蝶番装置があげられる。パチンコ機の蝶番装置は、外郭方形状の開口を有する外枠とこの開口面域に合わせた開閉搭載用の前枠との互いの正面左側上下に配設された上下一対の蝶番装置からなる。上下の蝶番装置はそれぞれ、図１３に示すように、水平に配設された第１板状部８０１に軸支持孔８０２が形成された第１ヒンジ部材８００と、水平に配設された第２板状部８０６から上方に突出する支軸８０７が固設された第２ヒンジ部材８０５とから構成される。このような構成の上下一対の蝶番装置において、軸支持孔８０２内に支軸８０７を嵌入させて第１および第２ヒンジ部材８００，８０５を水平に相対回動自在に接続させることにより、外枠に対して前枠を揺動開閉および着脱可能に支持するように構成している。
【０００３】
ところが、上記のような従来の蝶番装置では、外枠に対して前枠を装着しようとするときに、上下両方の蝶番装置の軸支持孔８０２と支軸８０７とをともに位置合わせして（軸心を一致させて）係合させなければならず、作業が容易でないという問題があった。特に、遊技施設内での装着にあっては、外枠が遊技島に固定されて移動不能であるとともに、前枠には遊技盤や裏機構盤、制御装置等が組み込まれて相当な重量（例えば、１５〜２０kg）を有しており、さらに蝶番装置が重心位置と離れた側方に位置しているため、上下２カ所の位置決めを行う装着作業が極めて困難であるという問題があった。
【０００４】
このような問題に鑑みて、例えば、図１４に示すように、第１ヒンジ部材８００′の板状部８０１に外側面から軸支持孔８０２に繋がる導入開口８０３を形成し、第２ヒンジ部材８０５′の支軸８０７の左右を平面状にカットして平面部８０７ａ，８０７ａを形成し、支軸８０７の左右平面部８０７ａ，８０７ａの幅が導入開口８０３の幅より僅かに狭くなるように構成することが知られている。この構成では、支軸８０７の左右平面部８０７ａ，８０７ａを導入開口８０３を通過させることにより支軸８０７を側方から軸支持孔８０２内に挿入させることができ、この状態で第１および第２ヒンジ部材８００′，８０５′を水平に相対回動させれば、左右平面部８０７ａ，８０７ａが軸支持孔８０２内に回動自在に保持される。このように構成すれば、軸支持孔８０２と支軸８０７とを上下に位置合わせすることなく支軸８０７を横方向に移動させて軸支持孔８０２内に嵌入させることができるため、外枠に前枠を取り付ける作業が簡単となる。
【０００５】
【発明が解決しようとする課題】
しかしながら、この構成の場合は、軸支持孔８０２の導入開口８０３と支軸８０７の左右平面部８０７ａ，８０７ａとが対向する位置まで前枠を回動させると支軸８０７が軸支持孔８０２から外れ出て、前枠が外れるという問題がある。
【０００６】
本発明は、上記問題や課題に鑑みて成されたものであり、簡明な構成で外枠等に対して前枠等を容易に着脱させることができるとともに、一旦装着した後は、その回動位置に拘わらず前枠等を外れることなくしっかりと保持することができるような構成の遊技機の蝶番装置を提供することを目的とする。
【０００７】
【課題を解決するための手段】
上記問題および課題を解決して目的を達成するため、本発明に係る蝶番装置は、ベース部材（例えば、実施形態における外枠１）とこれに開閉可能に取り付けられる開閉部材（例えば、実施形態における前枠２）とを備えて構成される遊技機において、前記ベース部材に対して前記開閉部材を揺動開閉自在にヒンジ接続させる上下一対の蝶番装置であって、下側の前記蝶番装置が、前記ベース部材の側下部に固定されて水平に突出する下固定側板状部の上面に上方に突出して下支軸を取り付けた下固定部材と、前記開閉部材の側下部に固定されて水平に突出する下揺動側板状部に前記下支軸と嵌合可能な下軸支持孔を形成した下揺動部材とから構成され、前記下支軸を前記下軸支持孔内に嵌入させるようにして前記下揺動部材を前記下固定部材に上側から取り付けて前記下固定部材と前記下揺動部材とをヒンジ接続するように構成されており、上側の前記蝶番装置が、前記ベース部材の側上部に固定された上固定部材と、前記開閉部材の側上部に固定され、前記上固定部材にヒンジ接続される上揺動部材とから構成される。そして、前記上固定部材が、前記ベース部材に固定されて水平に突出するとともに半円状のガイド孔側軸支持孔およびこのガイド孔側軸支持孔に繋がって後方に延びた長孔状のガイド孔が形成された平板状の下板部材と、前記下板部材の後部に取り付けられて前記ガイド孔内およびその上部領域内に片持ち状に前方に延びて設けられて前部が左右に弾性変形可能な弾性部材と、前記下板部材の上に重なって取り付けられて前記ガイド孔側軸支持孔および前記ガイド孔の周囲を囲むとともに片側側方が開放されて前記下板部材の上面を上方に露出させた導入部を形成する上板部材とから構成され、前記上揺動部材が、前記開閉部材に固定されて水平前方に延びた上揺動側板状部と、前記上揺動側板状部の下面に下方に突出して取り付けられた上支軸とを有して構成される。さらに、前記下固定部材と前記下揺動部材とをヒンジ接続させた状態で前記上支軸の下端面が前記導入部の上面よりも低い位置に位置するように構成されており、前記下固定部材と前記下揺動部材とをヒンジ接続させた状態で前記開閉部材の上部を前後左右方向に移動させることにより、前記上支軸を、前記導入部における前記下板部材の上面上に載置させるとともに前記導入部を越えて前記ガイド孔内に入り込ませて前記弾性部材の前部を左右方向における前記導入部から遠ざかる方向に押圧して弾性変形させ、さらに、前記弾性部材の前部を前記遠ざかる方向に押圧したまま前記ガイド孔内を前方に移動させ、前記上支軸が前記ガイド孔側軸支持孔内まで移動したときに前記上支軸による前記弾性部材の押圧が開放されて前記弾性部材が元の形状に戻って前記弾性部材の先端により前記上支軸を前記ガイド孔側支持孔内で保持して前記上揺動部材を前記上固定部材にヒンジ接続させるように構成されている。
【０００８】
上記構成の蝶番装置において、好ましくは、前記弾性部材における前記ガイド孔内およびその上部領域内に片持ち状に前方に延びて設けられた部分の前部に前記導入部に近づくように斜め前側方に傾斜した斜面を有する斜辺部が設けられるとともに前端部に前記上軸支持孔と対向する半円凹形状の保持部が形成されており、前記下固定部材と前記下揺動部材とをヒンジ接続させた状態で前記開閉部材の上部を前後左右方向に移動させることにより、前記上支軸を前記導入部を越えて前記ガイド孔内に入り込ませて前記ガイド孔内を前方に移動させるときに、前記上支軸の下部が前記斜辺部に当接してこれを側方に押して片持ち支持された前記弾性部材の前部を前記導入部から遠ざかる方向に弾性変形させ、前記上支軸が前記ガイド孔側軸支持孔内まで移動したときに前記上支軸の前記弾性部材との当接が外れて前記弾性部材が元の形状に戻り、前記保持部が前記ガイド孔側軸支持孔と対向して前記上支軸を保持するように構成される。
上記構成の蝶番装置において、好ましくは、前記上支軸の上下方向長さより前記下支軸の上下方向長さが長く設定される。また、好ましくは、前記導入部における前記下板部材の左右方向に開放された端部上面に面取りが設けられるとともに、前記上支軸の下端に全周にわたる面取りが設けられる。また、好ましくは、前記ガイド孔が基部側に幅広で前方に向かってテーパ状に幅が狭くなる形状に形成される。また、好ましくは、前記固定側基部に一体に繋がって前方に突出し、前記開閉部材が前記ベース部材に閉止状態で取り付けられた状態で前記上揺動部材の上側に位置する庇部が設けられる。
【０００９】
上記のように構成された本発明に係る蝶番装置によれば、外枠に対して前枠を接続させるときに、上下２カ所の軸支持孔と支軸とを同時に位置合わせ（芯出し）して係合させるような微妙な調整操作が必要なく、少なくとも一方の蝶番装置については上揺動部材の上支軸を上固定部材の側部の導入部からガイド孔内に側方から侵入させ、次に上支軸を前方に移動させるという簡単な操作で上支軸をガイド孔側軸支持孔内に位置させてこれを回動自在に且つ外れることなく保持させ、上揺動部材および上固定部材をヒンジ結合させることができる。
また、上固定部材の下板部材にガイド孔側軸支持孔から後方に延びてガイド孔が形成されているため、ガイド孔側軸支持孔内に位置した上支軸は前方に引っ張られると少なくともガイド孔側軸支持孔の前部側において下板部材に当接する。このため、開閉部材を開放したときにヒンジ接続部に水平前方に作用する力は、ガイド孔側軸支持孔の前部に作用して下板部材により受けることができ、十分な強度を確保できる。また、ガイド孔をガイド孔側軸支持孔に向かって延びて配設される弾性部材は、軸支持孔の後部に位置するため、開閉部材を開放したときに水平前方に作用する力を受けることがなく、所期の弾性変形性能を損なうおそれがない。
【００１０】
【発明の実施の形態】
以下、本発明に係る遊技機の蝶番装置について、添付図面を参照しながら説明する。この実施形態では遊技機の一例としてパチンコ機を採り上げ、外枠に対して前枠を揺動開閉および着脱自在に連結する蝶番装置に本発明を適用した場合を主として説明する。まず、本実施形態に係る蝶番装置が適用されるパチンコ機ＰＭについてその概要構成を、図１を参照して要約説明する。
【００１１】
パチンコ機ＰＭは外郭方形枠サイズに構成されて縦向きの固定保持枠を成す外枠１の開口前面に、これに合わせた方形枠サイズに構成されて開閉搭載用の前枠２が互いの正面左側上下に配設された蝶番装置Ｈ1，Ｈ2で横開き開閉および着脱が可能に取り付けられ、正面右側に設けられた施錠装置４を利用して外枠１と係合された閉鎖状態で遊技に供される。
【００１２】
前枠２の各部にはパチンコ遊技を展開する遊技展開部材として、前枠２の前側面域に合わせてガラス扉５及び上球皿６が左側部に設けられた蝶番装置（図示せず）を利用してともに横開き開閉及び着脱が可能に組付けられる一方、上球皿６の下部に下球皿７、操作ハンドル８及び打球発射装置等が装備されている。前枠２の裏側には、この前枠２と一体成形された収容枠に所定のゲージ設定で構成された遊技盤９が着脱可能にセット保持され、収容枠の裏側に球貯留部や賞球払出機構等を有する裏機構盤（図示せず）が開閉及び着脱可能に装備されている。裏機構盤の各部には主制御基板やターミナル基板、音声基板等の各種基板や電子部品などが取り付けられ、各機器が図示しないワイヤーハーネスで接続されている。なお、パチンコ機ＰＭは、全体が所要の後傾角度（例えば、１度以内の後傾角）で縦向きに保持される。
【００１３】
外枠１と前枠２とを揺動開閉および着脱自在にヒンジ結合する上下一対の蝶番装置Ｈ1，Ｈ2のうち、下側の蝶番装置Ｈ2は、その斜視図を図２に示すように、外枠１の左側下部に固設される下固定金具１１０と、前枠２の左側下部に固設される下揺動金具１３０とから構成される。
【００１４】
下固定金具１１０は、外枠１の内周に固定される固定側基部１１１と、この固定側基部が直角に折り曲げられて前方に水平に突出する固定側板状部１１２と、固定側板状部の前端部に固着されて上方に突出する支軸１１５とからなり、所定板厚の鋼板を打ち抜きおよび曲げ成形して図示する形状に形成した後、外枠１の左下部にリベットおよびネジ等の締結手段を用いて固設される。下固定金具１１０は、直角に折り曲げられた固定側基部１１１の外面と固定側板状部１１２の底面とで、外枠１の内側の直交２面（左内側面および上面）に当接して、左右および上下方向に位置決めされるとともに、固定側板状部１１２の後側端面で外枠２の前面に当接して前後方向に位置決めされ、これにより外枠１に対する支軸１１５の軸線、すなわち揺動軸Ａxが位置決めされる。なお、支軸１１５の上端部は円錐状に形成されており、後述する軸支持孔１３５との嵌合を容易化している。
【００１５】
下揺動金具１３０は、前枠２の裏面側に固定される揺動側基部１３１と、この揺動側基部１３１から直角に折り曲げられて前方に水平に突出する揺動側板状部１３２とからなり、揺動側板状部１３２の前端部には上記支軸１１５と嵌合可能な軸支持孔１３５が穿設されて構成される。下揺動金具１３０は下固定金具１１０と同様に所定板厚の鋼板を打ち抜きおよび曲げ成形して図示する形状に形成した後、前枠２の左下部裏面にネジ等の図示しない締結手段を利用して固設される。下揺動金具１３０は、揺動側基部１３１が前枠２の裏面にネジ締結されることで前後、左右および上下方向に位置決めされ、前枠２に対する軸支持孔１３５の軸線が位置決めされる。
【００１６】
このように構成される下側の蝶番装置Ｈ2は、下固定金具の支軸１１５に上方から軸支持孔１３５を同軸上に位置決めして前枠２を下動させ、支軸１１５と軸支持孔１３５とを嵌合接続させることでヒンジ結合され、支持面部１１２で被支持面部１３２を支持して外枠２に対して前枠２を揺動軸Ａxまわりに揺動開閉自在に接続する。
【００１７】
このような構成の下側の蝶番装置Ｈ2と組み合わせて設けられる上側の蝶番装置Ｈ1の実施形態について以下に説明する。この蝶番装置Ｈ1はその斜視図を図３に示すように、外枠１の左側上部に固設される上固定金具１０（第１ヒンジ部材）と、前枠２の左側上部に固設される上揺動金具５０（第２ヒンジ部材）とから構成され、後述するように上固定金具１０と上揺動金具５０とがヒンジ結合される。なお、図３は上固定金具１０と上揺動金具５０とをヒンジ結合させる以前の状態を斜視図として示しており、その平面図を上固定金具１０を分解した状態で図４に示し、上固定金具１０を分解してその構成を詳細に示す斜視図を図５に示す。なお、各図は蝶番装置を明瞭に示すためガラス扉５を取り外した状態で記載している。
【００１８】
上固定金具１０は、外枠１の左上方角部に固定される固定側基部１１と、この固定側基部１１から前方に向けて水平に突出する固定側板状部１７とから構成され、固定側板状部１７の内部に弾性部材２０が固設されている。
【００１９】
固定側基部１１は、外枠１の左上部に形成された上部取付面に固着される上辺部１２、上辺部１２と直交し外枠１の左外側面に形成された側部取付面に固着される側辺部１３、上辺部１２および側辺部１３と直交し外枠１の前端面に当接する前辺部１４からなり、前辺部１４が固定側板状部１７を構成する下板部材３０と一体に繋がる。すなわち、上固定金具１０において、固定側基部１１と下板部材３０とが所定板厚の鋼板を打ち抜きおよびプレス成形して図示する形状に一体成形された後、上記直交する三辺１２，１３，１４で外枠１の左上方角部に位置決めされ、リベット１５等により外枠１に固定される。
【００２０】
固定側板状部１７は、上述のように固定側基部１１と一体成形された下板部材３０と、この下板部材３０に固設された弾性部材２０と、下板部材３０の上に取り付けられた上板部材４０とから構成される。下板部材３０には、基部側から前方に延びるガイド孔３１が穿設形成されている。ガイド孔３１は図４および図５に示すように、基部側でその溝幅が広く、中間部から先端側に向けてテーパ状に狭くなるように形成されており、ガイド孔３１の前端は半円筒状に形成されて軸支持孔３１ａ（正確には軸支持孔の前半部）を構成している。後述するように、前方側から見て下板部材３０の右側上面が、上揺動金具５０の支軸５５がスライド移動するスライド面３２として用いられ、このときに支軸５５をスムーズにスライド面３２上に案内するための面取り３３が下板部材３０におけるスライド面３２の右側端に形成されている。下板部材３０にはさらに、上板部材４０をネジ止めするための複数のネジ孔３４ａと、弾性部材２０を固定するためのピン孔３４ｂが図示のように形成されている。
【００２１】
弾性部材２０は、ガイド孔３１の後部における下板部材３０の上面に固定される固定片部２１、この固定片部２１の右側端において直角に折れ曲がって起立した起立部２２，起立部２２の前端に繋がって平面視においてＵ字状に折り曲げられた屈曲部２３、屈曲部２３から起立状態のまま前方に水平に延びる延出部２４、および延出部２４の前端において曲面状に折り曲げられた保持部２５を有して、弾性を有する金属板から一体に形成される（例えば、所定板厚のバネ用ステンレス鋼鋼板やバネ鋼板等をプレス成形により形成される）。
【００２２】
このように形成された弾性部材２０は、図４に示すように、固定片部２１に形成された孔（図示されず）に挿入された固定ピン２７の脚部をピン孔３４ｂに圧入固定することで下板部材３０に片持ち支持状態で固定される。このとき、起立部２２の前部から先端側の部分における下部がガイド孔３１内に入り込み、自由状態で保持部２５が軸支持孔の後半部を形成するように位置する。すなわち、自由状態での保持部２５と下板部材３０の軸支持孔３１ａとに囲まれて上下に延びる円筒状の軸支持孔空間が形成され、この軸支持孔空間の中心軸は下固定金具１１０の支軸１１５の揺動軸Ａｘと上下に一致する。なお、起立部２２より前側における上部はガイド孔３１より上側に位置し、下板部材３０の上面より上方に突出する。また、保持部２５の先端下部に切り欠き２５ａが形成されており（図５参照）、保持部２５と下板部材３０との干渉を避けて弾性部材２０が図６（Ｂ）に示すように弾性変形揺動することが可能なようになっている。
【００２３】
一方、上板部材４０は、樹脂材料などにより一体成形されて作られ、下板部材３０のガイド孔３１の前部周囲を囲む形状に形成された開口部４５および片側側方（図４における右側側方）において開放された導入部４６を有するとともに、下板部材３０の外周形状と略同一の外周形状に形成されている。この上板部材４０には上下に貫通する複数のネジ挿入孔４９が図示のように形成され、このネジ挿入孔４９に挿通されたネジ３９を下板部材３０のネジ孔３４ａに螺合させて上板部材４０が下板部材３０の上に固設される。
【００２４】
このように固設された状態で、開口部４５の前部は下板部材３０のガイド孔３１の前部と上下に繋がり、下および上板部材３０，４０（すなわち、固定側板状部１７）を上下に貫通する開孔が形成される。このとき、上板部材４０の開口部４５の前端部は半円筒状に形成されて軸支持孔４５ａ（正確には、軸支持孔の前半部）を構成しており、下板部材３０の軸支持孔３１ａと上下に繋がって上下に延びる軸支持孔（軸支持孔の前半部）を構成する。
【００２５】
また、上板部材４０の右側に形成された導入部４６が位置する下板部材３０の上面、すなわち、導入部４６を形成する左右切り欠き面４６ａ，４６ｂにより挟まれた領域内における下板部材３０の上面がスライド面３２を形成し、このスライド面３２は内端においてガイド孔３１と繋がり、外端に面取り３３が形成されている。
【００２６】
図６および図７から分かるように、上板部材４０は、開口部４５および導入部４６を有した平板形状の板状部４１と、この板状部４１の外周および内周に沿って下方に突出する外周リブ４２ａおよび内周リブ４２ｂと、ネジ挿入孔４９が形成されるボス部４３とから構成される。このため、上板部材４０には外周リブ４２ａおよび内周リブ４２ｂに囲まれるとともに下面に開口する内部空間４４が形成されている。ボス部４３はこの内部空間４４内に突出し、外周リブ４２ａおよび内周リブ４２ｂの下端面とボス部４３の下端面とが下板部材３０の上面に当接して、上板部材４０が下板部材３０の上に固設される。
【００２７】
内周リブ４２ｂの一部が図６に示すように切り欠かれており、弾性部材２０が固定片部２１において固定された状態で屈曲部２３において弾性変形し、図６（Ａ）の状態から図６（Ｂ）の状態まで左側に揺動されたときに、弾性部材２０との干渉を避けるようになっている。このとき、保持部２５の先端に切り欠き２５ａが形成されているため、保持部２５の先端は図示のように下板部材３０の上面に乗り上げる位置まで揺動可能であり、且つこのように乗り上げた部分が内周リブ４２ｂと干渉することがない。
【００２８】
一方、上固定金具１０にヒンジ接続される上揺動金具５０は、前枠２の裏面側に固定される揺動側基部５１、この揺動側基部５１から直角に折り曲げられて前方に水平に突出する揺動側板状部５２、および揺動側板状部５２の前端部に固着されて下方に突出する支軸５５（軸状体）からなり、所定板厚の鋼板から作られて前枠２の左上部裏面にネジ５６により固定される。この支軸５５の下端には円錐状の面取り５５ａが形成されている。なお、揺動側基部５１には一対の取り付け位置決め突起５１ａが設けられており、前枠２が外枠１に閉止されたときに、外枠１に形成された取り付け位置決め凹部（図示せず）内に突起５１ａが嵌入して、位置決め保持されるようになっている。
【００２９】
この実施形態における上下の蝶番装置Ｈ1，Ｈ2の位置関係は、下固定金具１１０における固定側板状部１１２の上面と上固定金具１０における上板部材４０の上面の間隔（上下の支持面の間隔）、および下揺動金具１３０における揺動側板状部１３２の下面と上揺動金具５０における揺動側板状部５２の下面との間隔（上下の被支持面の間隔）が、略同一となるように設定されている。このため、上下の固定金具１０，１１０がそれぞれ揺動金具５０，１３０を揺動自在に支持して、前枠２の全体を開閉自在に支持する。
【００３０】
上揺動金具５０における支軸５５の突出高さは、上板部材４０の上面とスライド面３２との段差よりも幾分大きめに設定されており、後述するように、支軸５５を導入部４６からガイド孔３１内に移動させたときに支軸５５の下端をガイド孔３１内に入り込ませて保持し、これが導入部４６側に外れ出ることがないようにしている。また、上揺動金具の支軸５５の長さより下固定金具１１０の支軸１１５の長さが長く設定されている。
【００３１】
以上のように構成される蝶番装置Ｈ1の組み付けについて、さらに図６〜図９を参照しつつ以下に説明する。外枠１から前枠２が外された状態から上下の蝶番装置Ｈ1，Ｈ2を連結接続させる場合に、作業者はまず下側の蝶番装置Ｈ2において、外枠側の下固定金具１１０と前枠側の下揺動金具１３０とを連結、すなわち、下固定金具１１０の支軸１１５と下揺動金具１３０の軸支持孔１３５とを嵌合接続させる。
【００３２】
次いで、作業者は上側の蝶番装置Ｈ1において、外枠側の上固定金具１０と前枠側の上揺動金具５０との連結操作を行う。この連結操作はまず、前枠２を傾動させて上揺動金具５０を上固定金具１０の右側方から接近させ、支軸５５を導入部４６の下面を形成するスライド面３２の方に移動させる（図８（Ａ）参照）。下側の蝶番装置Ｈ2において支軸１１５が軸支持孔１３５に嵌入して下固定金具１１０により前枠２を支持させた状態では、支軸５５の下端面の高さはスライド面３２よりも幾分低く、支軸５５はスライド面３２の側縁部に形成された面取り３３に案内されて導入部４６内に位置するスライド面３２の上に乗り上げるように進入する（図６（ａ）参照）。
【００３３】
そして、前枠２を直立方向にさらに傾動させると、支軸５５は導入部４６の左右側面となる切り欠き面４６ａ，４６ｂによりガイドされてスライド面３２の上をスライド移動して（すなわち、導入部４６を通って）ガイド孔３１の方に移動する。ここで、弾性部材２０の上部は下板部材３０の上面（スライド面３２）よりも高く形成されているため、このとき支軸５５が弾性部材２０の延出部２４の側面に当接し、図６（Ａ）および図７に示すように支軸５５が弾性部材２０の延出部２４を左方に揺動させ、支軸５５がガイド孔３１内に入り込む。
【００３４】
このように支軸５５がガイド孔３１内に入り込んだ後には、支軸５５が前端方向に移動するように前枠２を傾動させる。これにより支軸５５はガイド孔３１および開口部４５内を弾性部材２０の延出部２４に挟まれた状態で案内されて軸支持孔３１ａ，４５ａにより形成される軸支持孔空間に向けて移動する。この移動過程において、支軸５５が弾性部材２０の延出部２４に当接してこれを左方に押圧し、弾性部材２０を左方に弾性変形揺動させながら、図６(ｂ)に示すように、前方に移動する。
【００３５】
そして、支軸５５の軸心が上記軸支持孔空間内の位置まで前進したときに、支軸５５と弾性部材２０の延出部２４および保持部２５との当接が解除され、弾性部材２０は弾性力により係合前の形状（自由状態形状）に復帰する。このとき、支軸５５は軸支持孔３１ａ，４５ａと弾性部材２０の先端部に形成された保持部２５との間に挟持されて軸支持孔空間内に保持される。この結果、支軸５５の軸線が揺動軸Ａxと一致した状態でこの軸まわりに揺動自在に保持される（図８（Ｂ）および図９参照）。
【００３６】
このようにして連結された上下の蝶番装置Ｈ1，Ｈ2によれば、上下の揺動金具５０，１３０が上下共通する揺動軸Ａxまわりに揺動自在に支持されるとともに、それぞれの揺動金具５０，１３０が各々固定金具１０，１１０に支持されて、前枠２を上下の蝶番装置Ｈ1，Ｈ2で支持する。
【００３７】
一方、前枠２の取り外しは、前枠２を外枠１に対して所定角度開放させた状態で、そのまま上方に引き上げる簡単な操作で達成される。すなわち、前枠２を上方に引き上げることにより、上側の蝶番装置Ｈ1における支軸５５が上動されて支軸５５が軸支持孔から抜け出し、同時に下側の蝶番装置Ｈ2における軸孔部１３５が上動されて軸後部１３５と支軸１１５との係合が解除され、上下の蝶番装置Ｈ1，Ｈ2のヒンジ結合がともに解除される。
【００３８】
このように、上記蝶番装置Ｈ1，Ｈ2によれば、外枠１に前枠２を取り付けるときに、上下の蝶番装置における支軸と嵌合孔（軸支持孔）とを同時に位置決めさせる必要がなく、一カ所ずつ位置決めし係合させればよいため、重量物たる前枠２を外枠１に容易にヒンジ接続させることができる。一方、取り外し作業に際しては、前枠２を上方に引き上げるというだけの簡単な操作で外枠１に対するヒンジ接続を解除させることができる。
【００３９】
なお、外枠１に対して前枠２を開放させて支持させたときには、上側の蝶番装置に前枠２の開放端側（反連結側、すなわち施錠装置４側）を押し下げるようなモーメントが作用し、このモーメントは上固定金具を前枠２の開放方向すなわち前方に引っ張る力として作用する。本発明の蝶番装置Ｈ1では、このモーメント力を下および上板部材３０，４０の軸支持孔３１ａ，４５ａで受ける。このように強度の高い固定金具１０により開放状態の前枠２を支持する構成のため耐力が高く、長期信頼性と操作性とを両立させた構成となる。
【００４０】
なお、この実施形態において、図８（ｂ）中に二点鎖線で付記するように、固定側基部１１における上辺部１２を前方に突出成形して庇部１２ａを形成し、前枠２を閉鎖した状態で庇部１２ａが上揺動金具５０の上方に突出して位置するように構成しても良い。このような構成によれば、閉鎖状態では前枠２が持ち上げられたときに庇部１２ａが揺動金具５０の上動を規制して上下の蝶番装置のヒンジ結合を維持させることができる。これにより、前枠２が閉鎖された状態でヒンジ結合を解除させようとする不正行為を有効に防止し、公正な遊技に供することができる。
【００４１】
次に、本発明の変形実施形態について、図１０〜図１２を参照して説明する。この変形実施形態においては、上側の蝶番装置Ｈ1における上固定金具２１０を構成する固定側板状部２１７が上記実施例における固定金具１０の固定側板状部１７と相違するが、固定側基部１１は庇部１２ａを一体に有する点を除いて上記実施形態と同一構成であり、上揺動金具５０は上記実施形態と同一構成である。このため、以下においては固定側板状部２１７のみについて説明し、固定側板状部１１および上揺動金具５０については同一番号を付して図示するだけでその説明は省略する。なお、下側の蝶番装置Ｈ2は上記実施形態と同一である。
【００４２】
固定側板状部２１７は、固定側基部１１と一体成形された下板部材２３０と、この下板部材２３０に固設された弾性部材２２０と、下板部材２３０の上に取り付けられた上板部材２４０とから構成される。下板部材２３０には、基部側から前方に延びるガイド孔２３１が穿設形成されている。このガイド孔２３１は図示のように、基部側に右側に広がる膨出部２３１ｂを有し、先端側に右方向に偏心した半円状の軸支持孔２３１ａ（正確には軸支持孔の前半部）を有している。また、下板部材２３０の右側上面がスライド面２３２として用いられ、面取り２３３がスライド面２３２の右側端に形成されている。下板部材２３０にはさらに、上板部材２４０をネジ止めするための複数のネジ孔２３４ａと、弾性部材２２０を固定するためのピン孔（図示せず）が形成されている。
【００４３】
弾性部材２２０は、ガイド孔２３１の後部における上板部材２３０の上面に固定される固定片部２２１、この固定片部２２１の左側端において直角に折れ曲がって起立した起立部２２２，起立部２２２の前端に繋がって平面視においてＵ字状に折り曲げられた屈曲部２２３、屈曲部２２３から起立状態のまま前方に水平に延びる延出部２２４、および延出部２２４の前端において右方に折り曲げられて斜めに延びた保持部２２５を有して、弾性を有する金属板から一体に形成される。
【００４４】
弾性部材２２０は、固定片部２２１において固定ピン２２７を用いて上板部材２３０に片持ち支持状態で固定される。このとき、起立部２２２の前部から先端側の部分の下端面は下板部材２３０の上面とほぼ同一もしくは若干上側に位置し（図１２参照）、且つガイド孔２３１の左側縁に沿って前方に延び、保持部２２５は軸支持孔２３１ａに向かって延びる。そして、このように弾性部材２２０が取り付けられたままで外力を受けない自由状態のときに、保持部２２５の先端面２２５ａが軸支持孔の後半部の一部を形成するように位置する。すなわち、自由状態での保持部２２５の先端面２２５ａと下板部材３０の軸支持孔２３１ａとに囲まれて上下に延びる円筒状の軸支持孔空間が形成され、この軸支持孔空間の中心軸は下固定金具１１０の支軸１１５の揺動軸Ａｘと上下に一致する。
【００４５】
一方、上板部材２４０は、樹脂材料などにより一体成形されて作られ、下板部材２３０のガイド孔２３１の前部周囲を囲む形状に形成された開口部２４５および片側側方（図１０における右側側方）において開放された導入部２４６を有するとともに、下板部材２３０の外周形状と略同一の外周形状に形成されている。上板部材２４０には上下に貫通する複数のネジ挿入孔２４９が図示のように形成され、このネジ挿入孔２４９に挿通されたネジ２３９を下板部材２３０のネジ孔２３４ａに螺合させて上板部材２４０が下板部材２３０の上に固設される。なお、開口部２４５の前部は下板部材２３０の軸支持孔２３１ａに合わせて右側に偏心した半円状に形成されて軸支持孔２４５ａが形成されており、その入口部右側に開口部２４５内に斜めに突出する突起２４７が形成されている。この突起２４７はある程度の弾性変形が可能である。
【００４６】
このように下板部材２３０の上に上板部材２４０が固設された状態で、下および上板部材２３０，２４０の軸支持孔２３１ａ，２４５ａが上下に繋がって延びる軸支持孔（軸支持孔の前半部）を構成する。また、上板部材２４０の右側に形成された導入部２４６が位置する下板部材２３０の上面、すなわち、導入部２４６を形成する左右切り欠き面２４６ａ，２４６ｂにより挟まれた領域内における下板部材２３０の上面がスライド面２３２を形成し、このスライド面２３２は内端においてガイド孔２３１の膨出部２３１ｂと繋がる。
【００４７】
図１１および図１２から分かるように、上板部材２４０は、開口部２４５および導入部２４６を有した平板形状の板状部２４１と、この板状部２４１の外周および内周に沿って下方に突出する外周リブ２４２ａおよび内周リブ２４２ｂと、ネジ挿入孔２４９が形成されるボス部２４３とから構成され、外周リブ２４２ａおよび内周リブ２４２ｂに囲まれるとともに下面に開口する内部空間２４４が形成されている。ボス部２４３は内部空間２４４内に突出し、外周リブ２４２ａおよび内周リブ２４２ｂの下端面とボス部２４３の下端面とが下板部材２３０の上面に当接して、上板部材２４０が下板部材２３０の上に固設される。なお、内周リブ２４２ｂの一部が切り欠かれており、弾性部材２０が固定片部２１において固定された状態で屈曲部２２３において弾性変形し、図１１に示すように左側に弾性変形揺動することが可能となっている。
【００４８】
以上のように構成される変形実施形態に係る蝶番装置Ｈ1の組み付けについて以下に説明する。外枠１から前枠２が外された状態から上下の蝶番装置Ｈ1，Ｈ2を連結接続させる場合に、作業者はまず下側の蝶番装置Ｈ2において、外枠側の下固定金具１１０と前枠側の下揺動金具１３０とを連結する。次に、前枠２を傾動させて上揺動金具５０を上固定金具２１０の右側方から接近させ、支軸５５を導入部２４６の下面を形成するスライド面２３２の方に移動させる（図１１において二点鎖線で示す支軸５５の移動）。このとき、支軸５５の下端面の高さはスライド面２３２よりも幾分低いが、支軸５５はスライド面２３２の側縁部に形成された面取り２３３に案内されて導入部２４６内に位置するスライド面２３２の上に乗り上げるように進入する。
【００４９】
そして、前枠２を直立方向にさらに傾動させると、支軸５５は導入部２４６の左右側面となる切り欠き面２４６ａ，２４６ｂによりガイドされてスライド面２３２の上をスライド移動して（すなわち、導入部２４６を通って）ガイド孔２３１の方に移動し、膨出部２３１ｂからガイド孔２３１内に入り込む。このように支軸５５がガイド孔３１内に入り込んだ後には、支軸５５がガイド孔２３１に沿って前端方向に移動するように前枠２を傾動させる。これにより支軸５５はガイド孔３１に案内されて軸支持孔２３１ａ，２４５ａにより形成される軸支持孔空間に向けて移動する。この移動により支軸５５が軸支持孔空間に入り込む直前位置において、突起２４７によりガイド孔２３１の左右幅が支軸５５の径より小さくなっており、支軸５５が突起２４７を押圧してこれを右方に弾性変形させながら乗り越えるようにして移動する。同時に、支軸５５は弾性部材２２０の保持部２２５を左方に押圧してこれを左側に弾性変形揺動させながら、軸支持孔空間内に移動する。
【００５０】
そして、支軸５５が上記軸支持孔空間内に完全に入り込んだときに、支軸５５と突起２４７との当接および支軸５５と弾性部材２２０の保持部２２５との当接が解除され、突起２４７および弾性部材２２０は弾性力により係合前の形状（自由状態形状）に復帰する。これにより、支軸５５は軸支持孔２３１ａ，２４５ａと保持部２２５の先端面２２５ａと突起２４７の先端との間に挟持されて軸支持孔空間内に保持される。この結果、支軸５５の軸線が揺動軸Ａxと一致した状態でこの軸まわりに揺動自在に保持される。
【００５１】
ここで上述したように、軸支持孔２３１ａ，２４５ａはガイド孔２４５に対して偏心しており、図１０において斜め右側に向いているため、前枠２を開閉作動させるときに支軸２４９から作用する力を効果的に受け止めることができる。このため、前枠２の開閉作動がスムーズに行えるとともに、蝶番装置Ｈ1の十分な強度を得ることができる。
【００５２】
このようにして連結された上下の蝶番装置Ｈ1，Ｈ2によれば、上下の揺動金具５０，１３０が上下に共通する揺動軸Ａxまわりに揺動自在に支持されるとともに、それぞれの揺動金具５０，１３０が各々固定金具２１０，１１０に支持されて、前枠２を上下の蝶番装置Ｈ1，Ｈ2で支持する。
【００５３】
なお、以上説明した実施形態およびその変形実施形態における上固定金具では、固定側板状部を下板部材と上板部材に分けて構成しているため、下板部材の形状が簡単となり、その成形が容易である。このため。下板部材を固定側基部と一体に繋げて一枚の鋼板から容易に成形できるとともに、十分な強度を確保できる。一方、上板部材は樹脂材料から成形し、複雑な形状をこの上板部材により受け持たせることができる。
【００５４】
なお、以上の実施形態では、パチンコ機の左上部に蝶番装置Ｈ1を設け、左下部に蝶番装置Ｈ2を設けた例を説明したが、これらの蝶番装置は上下逆の構成でも良い。すなわち、上方に蝶番装置Ｈ2を設けて上方で吊り下げるように前枠２を傾動させ、下部に設けた蝶番装置Ｈ1を嵌合接続させる構成であっても良い。また、上下の蝶番装置に、ともに蝶番装置Ｈ1を設ける構成あっても良い。この場合、上下の支軸を導入部（スライド面）に乗せて前枠２を支持させたうえ水平左方に移動させて上下の支軸をガイド孔に係合させ、次いで前枠全体を前方に引くこと（または前枠２を閉鎖させること）で上下の揺動金具を固定金具に係合させロックさせることができる。また、固定金具と揺動金具の取り付け位置は外枠と前枠が逆の配置構成であっても良い。
【００５５】
また、実施例では遊技機の一例としてパチンコ機を採り上げ、外枠１と前枠２との間に適用した場合について説明したが、本発明はかかる遊技機や配設部位に限定されるものではない。例えば、パチンコ機においては前枠に対して揺動開閉および着脱が自在に取り付けられるガラス扉や裏機構盤（裏セット盤）について同様に適用可能であり、スロットマシンにおいては筐体に対して揺動開閉および着脱が自在に取り付けられるフロントマスクやメダル皿について同様に適用可能である。
【００５６】
【発明の効果】
以上説明したように、本発明によれば、ベース部材に対して開閉部材を揺動開閉自在にヒンジ接続させる上下一対の蝶番装置における少なくとも一方の蝶番装置が水平に突出する板状部を有する第１ヒンジ部材と下方に突出する軸状体を有する第２ヒンジ部材とから構成され、板状部が下板部材と上板部材と弾性部材とから構成され、軸状体が導入部からガイド孔内に導入されるとともに前方に移動されたときに、弾性部材の側面が軸状体を受け止めるとともに左右方向に弾性変形揺動して軸状体をガイド孔内に位置させるとともにガイド孔に沿って軸支持孔内まで移動させ、軸状体が軸支持孔内に移動したときに弾性部材が元の位置に戻って弾性部材の先端に設けられた保持部により軸状体を軸支持孔内に保持するように構成されている。
【００５７】
このため、本発明に係る蝶番装置によれば、外枠に対して前枠を接続させるときに、上下２カ所の軸支持孔と支軸とを同時に位置合わせ（芯出し）して係合させるような微妙な調整操作が必要なく、少なくとも一方の蝶番装置については第２ヒンジ部材の軸状体を第１ヒンジ部材の側部の導入部からガイド孔内に側方から侵入させ、次に軸状体を前方に移動させるという簡単な操作で軸状体を軸支持孔内に位置させて回動自在に且つ外れることなく保持させ、第１および第２ヒンジ部材をヒンジ結合させることができる。
【００５８】
また、板状部の下板部材において軸支持孔から後方に延びてガイド孔が形成されているため、軸支持孔内に位置した軸状体は前方に引っ張られると少なくとも軸支持孔の前部側において板状部を構成する下板部材に当接する。このため、開閉部材を開放したときにヒンジ接続部に水平前方に作用する力は、軸支持孔の前部に作用して下板部材により受けることができ、十分な強度を確保できる。また、ガイド孔を軸支持孔に向かって延びて配設される弾性部材は、軸支持孔の後部に位置するため、開閉部材を開放したときに水平前方に作用する力を受けることがなく、所期の弾性変形性能を損なうおそれがない。
【図面の簡単な説明】
【図１】本発明に係る蝶番装置を備える遊技機の一例として示すパチンコ機の外観正面図である。
【図２】上記パチンコ機における下側の蝶番装置を示す斜視図である。
【図３】本発明の実施形態となる上記パチンコ機における上側の蝶番装置を、外枠側と前枠側とに分離した状態で示す斜視図である。
【図４】上記実施形態に係る上側の蝶番装置を、上板部材を取り外した状態で且つ外枠側と前枠側とに分離した状態で示す平面図である。
【図５】上記実施形態に係る上側の蝶番装置の構造を説明するために、固定側板状部を分解して示す斜視図である。
【図６】上記実施形態に係る上側の蝶番装置において固定金具と揺動金具の連結過程を示す平面図である。
【図７】上記実施形態に係る上側の蝶番装置を、固定金具と揺動金具とがヒンジ接続される途中の状態について示す断面図である。
【図８】上記実施形態に係る上側の蝶番装置を、固定金具と揺動金具とがヒンジ接続される前後の状態について示す平面図である。
【図９】上記実施形態に係る上側の蝶番装置を、固定金具と揺動金具とがヒンジ接続された状態について示す正面図である。
【図１０】本発明の変形実施形態に係る上側の蝶番装置を、上板部材を取り外した状態で且つ外枠側と前枠側とに分離した状態で示す平面図である。
【図１１】上記変形実施形態に係る上側の蝶番装置において固定金具と揺動金具の連結過程を示す平面図である。
【図１２】上記変形実施形態に係る上側の蝶番装置を、固定金具と揺動金具とがヒンジ接続された状態について示す断面図である。
【図１３】従来の蝶番装置の一例を示す斜視図である。
【図１４】従来の蝶番装置の別の例を示す斜視図である。
【符号の説明】
Ａx  揺動軸
Ｈ1  上側の蝶番装置
Ｈ2  下側の蝶番装置
ＰＭ  パチンコ機
１  外枠
２  前枠
４  施錠装置
５  ガラス扉
６  上球皿
７  下球皿
８  操作ハンドル
９  遊技盤
１０，２１０  上固定金具（第１ヒンジ部材）
１１  固定側基部
１２  上辺部
１２ａ  庇部
１３  側辺部
１４  前辺部
１５  リベット
１７，２１７  固定側板状部
２０，２２０  弾性部材
２２，２２２  起立部
２３，２２３  屈曲部
２４，２２４  延出部
２５，２２５  保持部
２５ａ  切り欠き
２７，２２７  固定ピン
３０，２３０  下板部材
３１，２３１  ガイド孔
３１ａ，２３１ａ  軸支持孔
３２，２３２  スライド面
３３，２３３  面取り
３４ａ，２３４ａ  ネジ孔
３４ｂ  ピン孔
３９，２３９  ネジ
４０，２４０  上板部材
４１，２４１  板状体
４２ａ，２４２ａ  外周リブ
４２ｂ，２４２ｂ  内周リブ
４３，２４３  ボス部
４４，２４４  内部空間
４５，２４５  開口部
４６，２４６  導入部
４６ａ，４６ｂ，２４６ａ，２４６ｂ  切り欠き面
４９，２４９  ネジ挿入孔
５０  上揺動金具（第２ヒンジ部材）
５１  揺動側基部
５１ａ  位置決め突起
５２  揺動側板状部
５５  支軸（軸状体）
５５ａ  面取り
５６  ネジ
１１０  下固定金具
１１１  固定側基部
１１２  固定側板状部
１１５  支軸
１３０  下揺動金具
１３１  揺動側基部
１３２  揺動側板状部
１３５  軸支持孔
２２５ａ  先端面
２３１ｂ  膨出部
２４７  突起
８００，８００′  第１ヒンジ部材
８０１  第１板状部
８０２  軸支持孔
８０３  導入開口
８０５，８０５′  第２ヒンジ部材
８０６  第２板状部
８０７  支軸
８０７ａ  平面部
【図１】
0004162893.tif 000002
【図２】
0004162893.tif 000003
【図３】
0004162893.tif 000004
【図４】
0004162893.tif 000005
【図５】
0004162893.tif 000006
【図６】
0004162893.tif 000007
【図７】
0004162893.tif 000008
【図８】
0004162893.tif 000009
【図９】
0004162893.tif 000010
【図１０】
0004162893.tif 000011
【図１１】
0004162893.tif 000012
【図１２】
0004162893.tif 000013
【図１３】
0004162893.tif 000014
【図１４】
0004162893.tif 000015